(57)【要約】【課題】  表示している背景の映像を十分に確認しながら、背景の映像に影響のある、各種設定値を変更可能することが可能な画像表示制御装置を提供する。【解決手段】  表示している映像に重畳して、画面上の所定の領域に各種設定項目の一覧表示をする状態と、それより小さい領域に一覧の中から選択された１項目のみを表示する状態を切り替え、小さい領域で１項目のみ表示したまま、表示された設定項目の設定値を変更できるようにする画像表示制御装置を提供する。【選択図】  図１
2010147933.tif 000002
【特許請求の範囲】
【請求項１】
被写体を撮影するための撮影手段と、
撮影条件を設定するための設定項目を、前記撮影手段により撮影される画像に重畳して表示手段に表示させるための制御手段と、
ユーザからの指示を受け付けるための操作部材を有し、
前記制御手段は、複数の設定項目を同時に表示する第１の表示状態と、複数の設定項目のうちの１項目を表示する第２の表示状態と、設定項目を表示しない第３の表示状態とを、ユーザからの指示に応じて切り換えることを特徴とするデジタルカメラ。
【請求項２】
前記第１の表示状態で設定項目を表示中に、所定期間、設定項目を選択するための指示がさていないかを判定する第２の判定手段を有し、
前記第２の判定手段により、所定期間、設定項目を選択するための指示がさていないと判定された場合に、前記第１の表示状態から前記第２の表示状態へ自動的に切り換えることを特徴とする請求項１に記載のデジタルカメラ。
【請求項３】
前記第１の表示状態で設定項目を表示中に、所定期間、撮影条件設定のための指示がさていないかを判定する第１の判定手段を有し、
前記第１の判定手段により、所定期間、撮影条件設定のための指示がさていないと判定された場合に、前記第１の表示状態から前記第２の表示状態へ自動的に切り換えることを特徴とする請求項１に記載のデジタルカメラ。
【請求項４】
前記第１の表示状態で設定項目を表示中に、設定項目の設定値を選択するための指示がされたかを判定する第３の判定手段を有し、
前記第３の判定手段により、設定項目の設定値を選択するための指示がされたと判定された場合に、前記第１の表示状態から前記第２の表示状態へ自動的に切り換えることを特徴とする請求項１に記載のデジタルカメラ。
【請求項５】
前記制御手段は、前記第１の表示状態から前記第２の表示状態へ切り換える場合に、前記第１の表示状態で選択されていた設定項目を、第２の表示状態で表示することを特徴とする請求項１ないし４のいずれか１項に記載のデジタルカメラ。
【請求項６】
前記第１の表示状態では、複数の設定項目に対応するマークをリスト表示し、前記複数の設定項目のうち選択されている設定項目については、設定項目に対応する文字を表示することを特徴とする請求項１ないし５のいずれか１項に記載のデジタルカメラ。
【請求項７】
前記複数の設定項目は、前記撮影手段により撮影される画像に影響を与える設定を含み、
前記制御手段は、設定項目の設定値が変更されたことに応じて、変更後の設定を反映させた画像を前記表示手段に表示することを特徴とする請求項１ないし６のいずれか１項に記載のデジタルカメラ。
【請求項８】
被写体を撮影するための撮影手段を有するデジタルカメラの制御方法であって、
前記撮影手段により撮影される画像を表示するための表示工程と、
撮影条件を設定するための設定項目を、前記撮影手段により撮影される画像に重畳して表示手段に表示させる制御工程と、
操作部材に対する操作を検出する検出工程を有し、
前記制御工程では、複数の設定項目を同時に表示する第１の表示状態と、複数の設定項目のうちの１項目を表示する第２の表示状態と、設定項目を表示しない第３の表示状態とを、検出工程で検出した操作に応じて切り換えることを特徴とするデジタルカメラの制御方法。
【請求項９】
設定項目を、撮影画像に重畳して表示手段に表示させるための制御手段と、
ユーザからの指示を受け付けるための操作部材とを有し、
前記制御手段は、複数の設定項目を同時に表示する第１の表示状態と、複数の設定項目のうちの１項目を表示する第２の表示状態と、設定項目を表示しない第３の表示状態とを、ユーザからの指示に応じて切り換えることを特徴とする表示制御装置。
【請求項１０】
設定項目を、撮影画像に重畳して表示手段に表示させるための制御工程と、
操作部材に対する操作を検出する検出工程を有し、
前記制御工程では、複数の設定項目を同時に表示する第１の表示状態と、複数の設定項目のうちの１項目を表示する第２の表示状態と、設定項目を表示しない第３の表示状態とを、検出工程で検出した操作に応じて切り換えることを特徴とする表示制御方法。
【発明の詳細な説明】
【技術分野】
【０００１】
本発明は、設定項目の設定値を設定するためのデジタルカメラおよび表示制御装置に関するものである。
【背景技術】
【０００２】
ビデオカメラやデジタルスチルカメラなどのデジタルカメラを使う際、カメラの各種設定を変更するためには、設定用のメニュー画面に切り替えて、各種設定を変更させる方法が一般的である。
【０００３】
またそれ以外に、撮影する映像や再生された映像を確認しながら設定を変更したい項目、たとえば、レンズのフォーカス調整や、露出補正などがあり、そのために映像に文字やアイコンを重畳してミニメニュー形式で各種設定を行う例がいくつか提案されている。
【０００４】
特許文献１では、複数の設定項目の設定値、たとえば、フォーカス調整や露出補正設定等の設定項目を画面下端に左右方向に横並びに表示しておく。操作者が設定項目の設定値を変更したい場合は、左右ボタンで設定項目を選び、決定ボタンを押す。決定ボタンを押すと、プルアップメニュー形式で選択された設定項目の設定値が上下に列挙して表示される、並んだ選択肢から上下ボタンで設定値を選択し、再度決定ボタンで決定すると設定値が変更され、設定値の列挙表示も消えて設定項目のみの表示となる。
【特許文献１】特開２００８−７２４９１
【発明の開示】
【発明が解決しようとする課題】
【０００５】
上記の先行技術では、専用メニュー画面に移動することなく、映像を背景とした状態で、各種設定値を変更することを可能としている。
【０００６】
しかし、上記従来技術では、映像を背景とした状態で各種設定値を変更することを可能としているが、設定項目の設定値を変更する際に、設定項目の一覧表示と選択された設定項目の設定値の一覧表示を同時に行っている。そのため、設定値変更のために画面の大部分を使用してしまう。特に、設定項目や設定可能な設定値の数が多いとき、画面の主要領域を隠してしまい、映像が確認しにくくなるという問題があった。また、映像が隠れてしまうことにより、設定変更による効果を確認しづらくなっていた。
【０００７】
本発明は、上記問題に鑑みて成されたものであり、表示している背景の映像を十分に確認できる領域を確保しながら設定値の変更を行える、表示制御装置を提供することを目的とする。
【課題を解決するための手段】
【０００８】
上出の課題を解決するため、本発明のデジタルカメラは、被写体を撮影するための撮影手段と、撮影手段により撮影される画像を表示するための表示手段と、撮影条件を設定するための設定項目を画像に重畳して表示手段に表示させる制御手段と、ユーザから操作を受け付けるための操作部材を有し、制御手段は、ユーザからの表示状態切換えのための操作に応じて、複数の設定項目を同時に表示する第１の表示状態と、複数の設定項目のうちの１項目を表示する第２の表示状態と、設定項目を表示しない第３の表示状態に切り換え可能であることを特徴とする。
【発明の効果】
【０００９】
以上説明したように、本発明によれば、画像に重畳して設定項目を表示する際に、設定項目の表示形態を切る換えることにより、できるだけ画像を隠すことなく設定項目を表示することが可能となる。
【発明を実施するための最良の形態】
【００１０】
（第１の実施形態）
第１の実施形態では、本発明のデジタルカメラとしてビデオカメラを例にして説明する。
【００１１】
図５は、本発明の実施形態に係る表示制御を実行するビデオカメラの概略構成を示すブロック図である。
【００１２】
ビデオカメラは、ＣＰＵ（中央演算装置）１０１、ＲＯＭ（ＲｅａｄＯｎｌｙＭｅｍｏｒｙ）１０２、ＲＡＭ（ＲａｎｄｏｍＡｃｃｅｓｓＭｅｍｏｒｙ）１０３、表示部１０４、入力部１０５、記録部１０６、撮像部１０７を備えている。そして、これらは、内部バス１１１でせつぞくされている。
【００１３】
ＣＰＵ１０１はビデオカメラの動作を制御する演算処理装置である。ＲＯＭ１０２には、ＣＰＵ１０１の動作処理手順（例えばビデオカメラの立ち上げ処理や基本入出力処理、後述する各処理を実行するためのプログラム）が記録されている。ＲＡＭ１０３はＣＰＵ１０１のワークエリアとして使用される。ＣＰＵ１０１は、ＲＯＭ１０２からプログラムを読み出し、演算処理や１０４〜１０７の各部を制御する。表示部１０４は撮像部１０７により撮影中の画像や、記録部１０６で記録媒体１０８に記録した画像や、グラフィックユーザインターフェースを表示するための表示部であり、この表示部上には、後述する設定項目等の表示アイテムも表示される。
【００１４】
入力部１０５は、ユーザからの指示を受け付けるための入力部であり、操作部材となるハードキーが設けられている。本実施例のビデオカメラには、入力部１０５として、図６のような、上下左右の４方向のボタンと決定ボタンの合計５つのボタンが設けられている。本実施例では入力部として上下左右と決定ボタンを用いたが、上下左右ボタンではなく、スティックを上下左右に倒して上下左右の指示を入力するジョイスティックでもよいし、決定ボタンはジョイスティックを中立位置でまっすぐ押下するタイプでもよい。また、タッチパネル等を用いて表示部１０４上に重畳表示されたソフトウェアキーであってもよいし、リモートコントローラ等の外部装置からユーザの指示得お入力しても良い。ユーザは入力部１０５を使用することで、ビデオカメラを操作できるような構成となっている。また、ＣＰＵ１０１は、入力部１０５への入力を検出しており、入力部１０５を介してユーザからの指示受け付けると、ユーザの指示に応じて、表示部１０４の表示を切換える表示制御を行ったり、指示に応じた動作、処理を行う。記録部１０６は、フラッシュメモリ、光ディスク、磁気ディスク、また光磁気ディスクなどの記録媒体１０８への画像データの記録や読み出しする。撮像部１０７は、被写体を撮影して画像信号を生成するための、レンズ、センサー、信号処理部などから構成される。撮像部で生成された画像信号は、ＣＰＵ１０１の指示により、表示部１０４に表示されるとともに、記録部１０６により記録媒体１０８に記録される。表示部では、撮像部で生成された画像を動画として表示することも、静止画として表示することも可能である。また、撮像部で撮像する際の撮像パラメータは、ユーザの操作により設定可能なものがあり、後述する撮影条件の設定画面で設定することができる。
【００１５】
記録媒体１０８に記録された映像データは、ユーザからの画像再生の指示に応じて、ＣＰＵ１０１の制御により再生され、表示部１０４に表示される。
【００１６】
以下に、動画を撮影する場合のビデオカメラの動作フローを説明する。
【００１７】
動画を撮影する際には、、画像の設定をすべてビデオカメラにプログラムされている自動で撮影する場合と、撮影中の状況に応じてユーザが設定項目の設定及び変更をして撮影する場合がある。
【００１８】
設定可能な項目として、露出補正、フォーカス調整、内蔵ビデオライト（照明）の入／切、逆光補正の入／切、マイクの調整、などの撮影条件の設定項目がある。
【００１９】
本実施例のビデオカメラでは、撮影中の画像に重畳して撮影条件設定のための設定項目が表示される。そして、設定項目の表示形態として、一覧表示状態、１項目表示状態、項目非表示状態の３つの表示状態があり、これらの表示状態を切り替えて使用することが可能である。
【００２０】
図１を参照して、撮影条件設定のための表示画面について説明する。
１１は一覧表示状態であり、複数の設定項目が縦に並んで表示されている状態である。
１２は１項目表示状態であり、一覧表示状態１１のうちの１項目のみを表示する状態である。
１３は項目非表示状態であり、設定項目は表示されない状態である。
これら３つの設定項目の表示状態の画面では、撮影中の映像に重畳して設定項目が表示される。
【００２１】
項目非表示状態中に上ボタン（下ボタン、左右ボタン、決定ボタンでも良い）が押下されたら、一覧表示状態に切り換わり、複数の設定項目がリストとなってが表示される。一覧表示状態時には、リスト表示されている設定項目のうちの選択されている設定項目を、上下ボタンの押下に応じて上下に移動する。そして、リストの最下段の項目が選択されている状態でさらに下ボタンが押下されると、項目非表示状態に切り換わる。また、一覧表示状態中に、撮影条件設定のための操作が２秒以上されなかった場合は、１項目表示状態に切り換わる。１項目表示状態中に上ボタンを押下されると一覧表示状態に切り換わり、１項目表示状態中に下ボタンが押下された場合は項目非表示状態に切り換わる。
【００２２】
動画撮影時には、このような撮影条件設定のための設定項目が、撮像部１０７で撮影される画像に重畳して表示される。ユーザの操作に応じて、これら３つの表示状態が切り換わるため、撮影画像の確認の妨げにならないようにすることができる。特に、一覧表示画面では複数の設定項目が表示され、撮影画像が隠れてしまうため、一定期間撮影条件設定のための操作が入力されなかったら自動的に１項目表示状態に切り換わり、撮影画像が十分確認できるようにしている。
【００２３】
また、撮影開始のときは、撮影画像が隠れにくい項目非表示状態からスタートし、撮影条件を変更したい場合は、ユーザは、一覧表示状態または１項目表示状態に切り換えることにより撮影商圏を設定できるようにしている。
【００２４】
それぞれの表示状態における動作フローおよび表示画面について図２〜４、図７〜図９を参照して詳細に説明する。図２〜４のフローは、ＣＰＵ１０１がＲＯＭ１０２から読み出したプログラムに基づいてビデオカメラの各部の制御や演算を行うことにより実行される。
【００２５】
項目非表示状態１３について説明する。
【００２６】
項目非表示状態１３では、図９のように、撮影条件設定のための設定項目は１つも表示されず、アイコン９０１を表示する。９０１は、上方向ボタンを表す上向き三角のアイコンで、上ボタンを押下することにより撮影条件の設定項目が表示されることを示すためのアイコンである。また、アイコン９０１と共に９０２のような表示を行い、現在は項目非表示状態で撮影条件の設定項目が隠れていることがよりユーザに伝わるように表示する。本実施形態では、図９のようにアイコン等を表示したが、なにも表示させないようにしても良い。
【００２７】
項目非表示状態１３中の動作フローを図４を使って説明する。
【００２８】
項目非表示状態１３中には、入力部１０５への入力を監視し、入力部への入力に応じて表示状態を切り換える。
【００２９】
項目非表示状態１３中に上方向ボタンが押下される（ステップＳ４０１）と、表示部１０４の設定項目の表示状態は項目非表示状態から一覧表示状態に切り換わり、設定項目が列挙された状態で表示される（ステップＳ４０４）。
【００３０】
また、上ボタンだけでなく、下、左右、決定ボタンが押下された場合にも、項目非表示状態から一覧表示状態に切り換わるようにしても良い。この場合、左右ボタンが押下されたことや決定ボタンが押下されたことをＳ４０２、Ｓ４０３で検知して、左右ボタンまたは決定ボタンの押下に応じて、一覧表示状態に切り換えて表示する。
【００３１】
また、一覧表示状態に切り換わる場合、切り換わったときに最初に選択されている設定項目は、前に設定を変更した設定項目または前に一覧表示状態または１項目表示状態で選択されていた設定項目を記録しておき、その設定項目を選択状態にして表示する。
【００３２】
一覧表示状態１１について説明する。
【００３３】
一覧表示状態では、図７（ａ）のように、複数の設定項目（７０１〜７０５）が縦に列挙されたリストで表示されている。そのうちの１つは（図７では７０２）、カーソルがあたった状態で表示されており、現在選択されている設定項目であることを示している。選択されている設定項目は、カーソル枠に囲まれ、他の設定項目と異なる色または形状で表示されている。また、それぞれの設定項目（７０１〜７０５）は、設定項目の種類と、現在の設定値が文字又はアイコンで表示されている。
【００３４】
一覧表示状態１１の動作フローを図２を使って説明する。
【００３５】
図７（ａ）のような一覧表示状態１１中に上下方向のボタンが操作されたかを検知する（ステップＳ２０１）、。Ｓ２０１で上ボタンが押されたと判断されたときは、現在選択されている設定項目が、リストの最上段であるかを判定する（ステップＳ２０６）。選択項目が最上段であれば、上の項目にカーソルを移動し、選択項目を変更する（ステップＳ２０７）。、最上段でない場合は選択項目を変更せずに、Ｓ２０１へ戻る。
【００３６】
Ｓ２０１で下ボタンが押されたと判断されたときは、現在選択されている設定項目が、リストの最下段であるかを判定する（ステップＳ２０８）。選択項目が最下段でなければ、下の項目へカーソル移動し、選択項目を変更する（ステップＳ２０９）。最下段であれば、一覧表示状態をやめて、図９のような項目非表示状態１３に切り換えて表示する（ステップＳ２１０）。
【００３７】
一覧表示中に左右ボタンが操作されたことを検知した場合（Ｓ２０５）は、選択されている項目の設定値の変更が可能となる。たとえば、設定項目「逆光補正」が選択されている場合、逆光補正の入と切の切り換えが可能となり、
また、設定項目が「フォーカス調整」の場合、オートフォーカスと、マニュアルフォーカスを切り替えることが可能となる。フォーカス調整においては、マニュアルフォーカスが設定されると、図７（ｂ）のような表示になり、左右ボタンを操作して焦点距離を前後に動かすことができる。この表示では、左右の三角アイコン７０９，７１０とともに、遠近を表すアイコン７０７，７０８（この場合、遠い：山、近い：人物  のアイコン）を表示して、左右ボタンを押す（ステップＳ３０３）ことで、焦点距離を前後に動かすことができることを表している。左右ボタンが操作されると、選択項目の設定値を変更可能であるかを判断し（Ｓ２１１）、設定値が変更可能であると判断された場合は、設定値を変更する（Ｓ２１２）。そして、一覧表示のリストで設定項目と共に表示される設定値について、設定された設定値に変更して表示画面に表示する（Ｓ２１３）。このとき、設定値の表示も変更されるが、設定値の変更により、撮像パラメータが変化し、撮影画像に影響がある場合は、表示部に表示さている画像も設定値の変更に対応した画像に変化する。
【００３８】
また、左右ボタンの操作だけでなく、決定ボタンへの操作により設定値の変更を可能としても良い。この場合は、決定ボタンへの操作を検知すると（ステップＳ２０３）、設定値が切り替わるようにしても良い。例えば、フォーカス設定の設定項目が選択されている状態では、決定ボタンの押下により、オートフォーカスとマニュアルフォーカスが交互に切り替わり、左右ボタンはマニュアルフォーカス時の焦点距離を前後に動かす設定の際に利用される。
【００３９】
また、ステップＳ２０４で、ある一定時間（たとえば２秒とする）左右上下ボタン、決定ボタンが操作されない場合、１項目表示状態１２に切り替わる（ステップＳ２０５）。この場合、一覧表示状態で選択されていた１項目が一項目表示状態で表示される。
【００４０】
このように、一覧表示状態では、設定項目の選択および設定値の変更が可能である。また、設定後は下ボタンを押下して最下段目まで移動し、さらに下ボタンを押下することにより１項目表示状態に切り換えることが可能である。また、このような操作を行わなくても、一覧表示状態で２秒間何も操作しなければ自動で１項目表示状態に切り変わるため、表示画面を有効に利用することができる。また、操作されなかった場合に、項目非表示状態ではなく、選択されていた設定項目を１項目だけ表示する１項目表示状態になるため、操作が遅れて自動的に切り換わった場合でも、すぐに設定値の変更を行うことができる。
【００４１】
次に、１項目表示状態１２について説明する。
【００４２】
１項目表示状態では、図８（ａ）のように１つの設定項目８０１が表示される。一覧表示状態から１項目表示状態に切り換わったときは、一覧表示状態で選択されていた項目が表示される。また、項目非表示状態から１項目表示状態に切り換わったときは、項目非表示状態の前の表示状態で選択されていた設定項目、つまり、前の一覧表示状態で選択されていた設定項目または前の１項目表示状態で表示されていた設定項目が表示される。１項目表示状態でも一覧表示状態と同様に、選択されている設定項目、つまり、表示されている設定項目は、カーソル枠に囲まれ、他の設定項目と異なる色または形状で表示されている。また、この設定項目については、設定項目の種類と、現在の設定値を同時に表示しても良い。現在の設定値を共に表示することで、ユーザは設定の変更が必要であるかの判断をしやすくなる。
【００４３】
８０２は、上ボタンを押下すると一覧表示状態に切り替わることを示すアイコンで、８０３は下ボタンを押下すると項目非表示状態に切り替わることを示すアイコンである。図８のでは８０２，８０３は三角形のアイコンであるが、ボタンを押すと表示状態が切り替わることを明示的に表すアイコンを用いても良い。
【００４４】
１項目表示状態１２の動作フローを図３を使って説明する。
【００４５】
１項目表示状態では、表示部１０４に表示される撮影されている映像を隠す領域が、一覧表示状態１１に比べて小さくなり、撮影画像の確認や、設定値変更による画像への影響を確認しやすくなる。
【００４６】
まず、ステップＳ３０１で上下ボタンが操作されたかを判定する。ステップＳ３０１で上ボタンが操作されたと判定した場合は、一覧表示状態に切り換える（ステップＳ３０４）。このとき、１項目表示状態で表示されていた設定項目が選択された状態で一覧表示の画面を表示する。Ｓ３０１で下ボタンが操作されたと判定された場合は、項目非表示状態に切り換える（ステップＳ３０５）。
【００４７】
ステップＳ３０１で、上下ボタンの操作無しと判断された場合は、ステップＳ３０２で左右ボタンが操作されたかを判定する。ステップＳ３０２で左右ボタンが操作されたと判断された場合は、現在選択されている設定項目、つまり、１項目表示状態で表示されている設定項目について、設定値が変更可能であるかを判定する（ステップＳ３０６）。設定値を変更できないと判定された場合は、ステップＳ３０１に戻る。設定値を変更可能であると判定された場合は、設定値を変更し（ステップＳ３０７）、変更された設定値を表示に反映する（ステップＳ３０８）。このとき、設定値の表示も変更されるが、設定値の変更により撮像部による撮像パラメータが変化して撮影画像に影響がある場合は、表示部に表示さている画像も設定値の変更に対応した画像になる。
【００４８】
また、左右ボタンだけでなく決定ボタンの押下を判定し（ステップＳ３０３）、決定ボタンの押下に応じて、設定値を変更する処理を行っても良い。
【００４９】
このように、１項目表示状態では、上ボタン押下で一覧表示状態に切り換わり、下ボタン押下で項目非表示状態に切り換わる。さらに、左右ボタンまたは決定ボタンの押下で、表示中の設定項目の設定値が変更可能となる。従って、１項目表示状態では、１つの操作で多数の状態に切り換えることができる。本実施形態では、一覧表示状態中に所定期間操作がされなかった場合は、１つの操作で多数の状態に切り換えることが可能な１項目表示画面に切り換わるようにしたが、項目非表示状態に切り換わるようにしてもよい。一覧表示状態中に所定期間操作がされなかったときに項目非表示状態に切り換わるようにする場合は、１項目表示状態への表示切りかえが可能となるように、項目非表示状態で上ボタンを押下したときに１項目表示状態に切り換わるようにする。
【００５０】
設定値を変更する際の表示について、上述の実施形態のような表示形態ではなく、例えば、決定ボタンまたは左右ボタンが押されたことに応じて、選択されている設定項目の変更可能な設定値の候補を選択項目の左右に並べて表示してもよい。このとき、変更可能な設定値全てを並べて表示しても良し、次の操作で変更となる候補を表示しても良い。一覧表示状態に設定値のリストを表示すると設定項目の後ろで表示されている映像が多く隠れてしまう。そのため、一覧表示の場合には１項肉表示の時よりも少ない数の設定値候補を表示するか、または、１項目時には設定値の候補やリストを表示しても一覧表示時には設定値のリストや候補を表示しないようにしてもよい。
【００５１】
（第２の実施形態）
図１０，図１１を用いて第２の実施形態について説明する。基本的な構成及び動作は第１の実施形態と同じであるため説明を省略する。
【００５２】
本実施形態では、第１の実施形態と異なり、一覧表示状態で表示されている時に、設定項目の移動のための操作が１秒以上表示されなかった場合すぐに、１項目表示状態に切り換わる。また、一覧表示画面と１項目表示画面で表示される項目も第１の実施形態とは異なっている。
【００５３】
図１０を用いて、一覧表示状態について説明する。
【００５４】
図１０において、１００１は一覧表示状態の画面においてフォーカス調整の設定項目が選択されている状態を示している。１００２は露出補正、１００３はマイクレベル調整、１００４はビデオライト入／切の設定、１００５は逆光補正入／切の設定、１００６はフラッシュ設定の設定項目が選択されている状態である。一覧表示状態で表示される設定項目のリストにおいて、それぞれの設定項目は、設定項目を示すマークのアイコンと現在設定されている設定値が表示される。そして、選択されている設定項目については、さらに、設定項目に対応する文字が表示され、選択中の設定項目が何の設定項目であるかが分かるようになっている。全ての設定項目について、文字を表示すると表示画面の多くの領域を使用してしまい、設定項目と共に表示される画像が隠れてしまうため、選択された設定項目だけ文字を表示している。
【００５５】
１００１のように、フォーカス調整が選択されているときに、下ボタンが押下されると、１００２の露出補正の設定項目を選択した状態なり、この状態でさらに下ボタンを押下すると、マイクレベル調整が選択される。つまり、下ボタン押下に応じて、下に表示されている設定項目が選択状態となり、選択中の設定項目を示すカーソルが下に移動する。フラッシュ設定でさらに下ボタンが押下されたときは、項目非表示状態に切り換わる。また、上ボタン押下に応じて、上に表示されている設定項目が選択状態となり、カーソルが上に移動する。このような操作により、設定項目の選択を変更することが可能である。設定項目の選択の変更に応じて、カーソルが移動し、カーソルの移動と共に選択されていた設定項目を文字表示は消え、新しく選択された設定項目の文字が追加して表示される。
【００５６】
露出補正、マイクレベル調整が選択されたときは、さらに、プラスアイコンとマイナスアイコンが、設定項目の欄の両側にそれぞれ表示される。また、フォーカス調整においてマニュアルフォーカスが選択されている時は、さらに、遠・近それぞれを示すアイコンが、両側に表示される。これは、露出補正、マイクレベル調整、フォーカス調整のマニュアルフォーカス時に設定可能な設定値が、左右ボタンで設定される方向性を持った設定値であるためである。左右ボタンのどちらにその方向が割り当てられているかを示すために、このようなアイコンを、対応する設定項目が選択された時だけ表示している。従って、露出補正、マイクレベル調整が選択されているときに左右ボタンが押下されることにより設定値が変更され、設定項目の欄に表示される設定値が変化する。露出補正の設定値を変更した場合は、撮影画像に影響を与えるため、表示画面で確認しながら設定値を変更することができる。
【００５７】
フォーカス調整の設定項目が選択されているときは、図１１のように、決定ボタンを押下することにより、マニュアルフォーカスとオートフォーカスの設定を変更可能である。マニュアルフォーカスが選択されている場合は前に説明したように、遠近を示すアイコンが表示され（１１０１）、フォーカス位置を左右ボタンで設定することができる。
【００５８】
ビデオライト入／切の設定、逆光補正入／切の設定の設定項目が選択されているときは、決定ボタンを操作することにより、設定値がＯＮ→ＯＦＦまたはＯＦＦ→ＯＮに切り換わる。またフラッシュ設定の設定項目が選択されているときは、決定ボタンを押すことにより、フラッシュの設定の設定値が順にトグルで変化し、これに応じてフラッシュ設定の設定値を示すアイコンも変化し、変更後の設定値に応じたアイコンが表示される。また、ビデオライト入／切の設定、逆光補正入／切の設定、フラッシュ設定の設定値の変更については、決定ボタンだけでなく左右ボタンの操作によっても変更可能としても良い。
【００５９】
本実施形態では、一覧表示状態中に、設定項目の選択のための操作、つまり、上下ボタンの押下があったかを判定し、１秒以上下ボタンが操作されなかった場合は、１項目表示状態に切り換わる。設定値を変更するための操作、つまり、左右ボタンまたは決定ボタンの押下が行われていても、上下ボタンが１秒以上押下されないと１項目表示状態に切り換わるのである。
【００６０】
設定項目を選択中は、設定項目の一覧表示を行った方が設定項目を選択しやすいが、１秒以上設定項目の選択が変更されなかった場合は、設定項目が選択されたと判断し、１項目表示に切り換える。１項目表示状態では、他の項目が選択されないだけで、設定値の変更は一覧表示状態と同様に可能であるため、設定値変更は１項目表示状態でも十分可能である。さらに、設定変更による画像への影響を確認するのには、撮影画像を確認する領域が大きい１項目表示状態のほうがよい。したがって、１秒以上設定項目の選択が変更されなかった場合は、１項目表示状態に自動的に切り換えている。
【００６１】
本実施形態では、１秒以上設定項目の選択が変更された場合に、１項目表示状態に切り換えるとしたが、１秒でなくても、ユーザが設定項目を変更するための操作に必要となる時間であればよい。
【００６２】
また、所定時間、設定項目の選択のための操作がなかった場合だけでなく、設定値変更の操作が行われたことに応じて、１項目表示状態に切り換えても良い。
【００６３】
（その他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。
【００６４】
例えば、第１の実施形態と第２の実施形態とで、表示状態に切り換え方法と設定項目の表示方法は異なっているが、第１の実施形態の設定項目の表示方法で第２の実施形態の表示状態に切り換え方法を適応しても良い。また、第２の実施形態の設定項目の表示方法で第１の実施形態の表示状態に切り換え方法を適応しても良い。
【００６５】
上出の実施形態では、一覧表示状態では縦に設定項目を列挙して上下ボタンで設定項目の選択を変更可能としているが、横に列挙して表示し、左右ボタンにより選択を変更できるようにしても良い。この場合は、設置値の変更は、上下ボタンで行われることになる。
【００６６】
上述の実施形態では、フォーカス調整、露出補正、マイクレベル調整、ビデオライト入／切の設定、逆光補正入／切の設定、フラッシュ設定が可能としたが、この設定項目に限定されず、他の設定項目の設定値を調整可能としても良い。設定値を変更することにより撮影画像に影響のある設定項目については、設定変更による画像の変化を確認しながら設定値を変更することが望まれる。そのため、画像に重畳して設定項目を表示する際に、画像が隠れる領域を減少させることが可能な本発明は、このような撮影画像に影響のある設定項目を表示する際に特に有用である。
【００６７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６９】
その場合、プログラムの機能を有していれば、オブジェクトコード、インタプリタにより実行されるプログラム、ＯＳに供給するスクリプトデータ等、プログラムの形態を問わない。
【００７０】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【図面の簡単な説明】
【００７１】
【図１】本発明の実施例に係る画面表示遷移を表す図である。
【図２】一覧表示状態でのフローチャートである。
【図３】１項目表示状態でのフローチャートである。
【図４】非表示状態でのフローチャートである。
【図５】本発明の実施例に係るビデオカメラの概略構成を示すブロック図である。
【図６】ビデオカメラの入力部の形状を表す図である。
【図７】一覧表示状態の画面表示の一例である。
【図８】１項目表示状態の画面表示の一例である。
【図９】項目非表示状態の画面表示の一例である。
【図１０】第２の実施形態における一覧表示での表示画面を表した図である。
【図１１】第２の実施形態におけるフォーカス調整の設定項目を１項目表示したときを示す図である。
【符号の説明】
【００７２】
１１  一覧表示状態の画面
１２  １項目表示状態の画面
１３  項目非表示状態の画面
１０１  ＣＰＵ
１０２  ＲＯＭ
１０３  ＲＡＭ
１０４  表示部
１０５  入力部
１０６  記憶部
１０７  撮像部
１１１  内部バス
【図１】
2010147933.tif 000003
【図２】
2010147933.tif 000004
【図３】
2010147933.tif 000005
【図４】
2010147933.tif 000006
【図５】
2010147933.tif 000007
【図６】
2010147933.tif 000008
【図７】
2010147933.tif 000009
【図８】
2010147933.tif 000010
【図９】
2010147933.tif 000011
【図１０】
2010147933.tif 000012
【図１１】
2010147933.tif 000013